(57)【要約】      （修正有）【課題】使用者の不注意で意図していない設定にて撮影をした場合、撮影後にも現像条件を変更できるようにする電子カメラを提供する。【解決手段】記録画像生成にかかる所定のパラメータ（現像パラメータ）を、撮影後に使用者が確認できる手段と、変更できる手段を備えることを特徴とし、また前記確認手段及び変更手段に関する操作が完了するまでは所定の操作以外は無効とし、撮影したＲＡＷデータを未現像のままＲＡＷバッファ領域に格納しておくことを特徴とする。また、前記変更手段により現像パラメータが変更された場合には変更後の現像パラメータに基づいてＲＡＷデータを現像処理し、記録用の画像ファイルデータを生成することを特徴とする。【選択図】図２
2006166051.tif 000002
【特許請求の範囲】
【請求項１】
撮像手段により生成された画像データから、記録媒体に記録する画像データを現像処理により生成する電子カメラであって、
前記現像処理の現像処理条件を、
撮影前に設定する第１の現像処理条件変更手段と、
撮影後に設定する第２の現像処理条件変更手段を
備えることを特徴とする電子カメラ。
【請求項２】
撮影後に、前記第１の現像処理条件変更手段により設定された、
前記現像処理条件を確認する現像処理条件確認手段を備え、
該現像処理条件確認手段の操作後、
前記第２の現像条件変更手段を有効にすることを特徴とする請求項１に記載の電子カメラ。
【請求項３】
前記第２の現像条件変更手段の操作により変更された前記現像処理条件に基づいて、
前記撮像手段により生成された画像データから、前記記録媒体に記録する画像データを生成することを特徴とする請求項２に記載の電子カメラ。
【請求項４】
前記現像処理条件を判別する現像処理条件判別手段を備え、
該現像処理判別手段による前記現像処理条件の判別結果に応じて、
前記現像処理条件確認手段の制御を変更することを特徴とする請求項３に記載の電子カメラ。
【請求項５】
前記現像処理判別手段を有効・無効にすることが可能なことを特徴とする請求項４に記載の電子カメラ。
【発明の詳細な説明】
【技術分野】
【０００１】
本発明は、電子カメラの記録画像ファイルの生成方法に係る電子カメラに関する。
【背景技術】
【０００２】
電子カメラは光学レンズにより撮像素子上に結像された被写体像を、フォトダイオードの光電変換によりアナログ電気信号に変換し、アナログ電気信号はＡ／Ｄ変換処理によりデジタル信号化された後、各種デジタル処理され、記録媒体に記録される。
【０００３】
記録媒体に記録する画像ファイル形式は、一般的にＪＰＥＧ（Ｊｏｉｎｔ  Ｐｈｏｔｏｇｒａｐｈｉｃ  Ｅｘｐｅｒｔｓ  Ｇｒｏｕｐ）形式が広く使われている。ＪＰＥＧ形式は元の画像データに対し適応離散コサイン変換（ＡＤＣＴ）による不可逆圧縮処理を行い、ファイルサイズ容量を小さくすることができる。この点がＪＰＥＧ形式が広く使われている理由としてあげられる。
【０００４】
しかし、圧縮率を大きくすればするほどファイルサイズ容量を小さく出来るが、画質の劣化が生じてしまう。逆に、圧縮率を小さくすれば画質の劣化を抑えられるが、ファイルサイズ容量が大きくなってしまう。  このため、画質劣化とファイルサイズ容量のトレードオフを考慮して、使用者が数種類の画質から好みの設定を選択できる機能を有しているのが一般的である。
【０００５】
画質の設定以外にも、画像ピクセルサイズの設定が出来る機能を有しているのが一般的であり、例えば、撮像素子の有効画素サイズの２分の１や４分の１といったピクセルサイズの画像ファイルとして記録することが可能である。
【０００６】
また、カラーではなくモノクロ画像として記録することも可能なカメラも存在する。モノクロ画像はカラー画像よりも高い解像度の画像を得ることが出来る。
【０００７】
上記の様に、ＪＰＥＧ形式で画像ファイルを生成する場合には、様々なパラメータに基づいて画像処理を行っている。
【０００８】
一方、ＪＰＥＧ形式とは異なり、ＲＡＷ形式と呼ばれるファイル形式で記録可能なカメラも存在する。ＲＡＷ形式とは、撮像素子およびＡ／Ｄ変換器により生成された、撮像素子に蓄積された電荷量のデータと考えることが出来、銀塩カメラでいうところの現像前のフィルムに例えることが出来る。
【０００９】
一般的には、上記ＲＡＷデータを可逆圧縮処理しファイルサイズを小さくしてから記録手段に記録する。これにより撮影された画像情報をまったく欠落すること無くファイルサイズを小さくすることが可能であるが、ＪＰＥＧ形式ほど小さいサイズにはできない。
【００１０】
また、ＪＰＥＧ形式は広く使用されているフォーマットなので、ＰＣなどで簡単に画像の確認が出来る。しかし、ＲＡＷ形式のファイルは各メーカごと独自のファイルフォーマットで構成されているため、画像をＰＣなどで確認するには専用ソフトウェアを用いる必要がある。
【００１１】
しかし、専用のソフトウェアが必要にはなるが、上記で述べた諸パラメータを何度でも変更しながら画像の確認が出来るため、使用者の満足する画像を得ることが出来る。また、ＪＰＥＧやＴＩＦＦファイル等の一般的に普及しているファイル形式を生成することが可能である。
【特許文献１】特開２００４−１７９８８３号公報
【発明の開示】
【発明が解決しようとする課題】
【００１２】
従来の電子スチルカメラでは、前述のような記録画像を生成する際の画像処理にかかるパラメータ（以降、現像パラメータとよぶ）の設定は、予め撮影の前に行う必要があった。このため、使用者の不注意で意図していない現像パラメータで撮影した場合には、設定を変更した後に改めて撮影を行う他無く、シャッターチャンスが一度しかないような場合、取り返しがつかなかった。このようなことを避けるために、常にＲＡＷ形式で撮影するように設定しておけば上記課題が解決できるが、一般にＲＡＷ形式はＪＰＥＧ形式よりもファイルサイズ容量が大きくなるため、記録容量を圧迫し、撮影可能枚数が少なくなってしまう別の課題が生じてしまう。
【００１３】
これまでにも、撮影したＲＡＷ形式ファイルからＪＰＥＧ形式ファイルを生成する機能、また、カラーのＪＰＥＧ画像ファイルから、クロマ成分を除去したモノクロのＪＰＥＧ画像ファイルを生成する機能を有するカメラは存在していた。しかしこれらの機能は、いずれも元の画像データから画像情報の一部を欠落させる変換である。
【００１４】
このため、モノクロ画像からカラー画像への変換、ＪＰＥＧ画像からＲＡＷ画像への変換といった、画像データの情報が増える変換処理を撮影後に行える機能を有するカメラはこれまでに存在しなかった。
【００１５】
本発明は、以上の点に着目して成されたもので、使用者の意図しない現像条件で撮影した場合、これまでは、現像条件を変更してから再び撮影しなおさなければならなかったが、撮影後にも現像条件を変更できるようにする電子カメラを提供することを目的とする。
【課題を解決するための手段】
【００１６】
この発明は下記の構成を備えることにより上記課題を解決できるものである。
【００１７】
（１）撮像手段により生成された画像データから、記録媒体に記録する画像データを現像処理により生成する電子カメラであって、前記現像処理の現像処理条件を、撮影前に設定する第１の現像処理条件変更手段と、撮影後に設定する第２の現像処理条件変更手段を備えることを特徴とする電子カメラ。
【００１８】
（２）撮影後に、前記第１の現像処理条件変更手段により設定された、前記現像処理条件を確認する現像処理条件確認手段を備え、該現像処理条件確認手段の操作後、前記第２の現像条件変更手段を有効にすることを特徴とする前記（１）に記載の電子カメラ。
【００１９】
（３）前記第２の現像条件変更手段の操作により変更された前記現像処理条件に基づいて、前記撮像手段により生成された画像データから、前記記録媒体に記録する画像データを生成することを特徴とする前記（２）に記載の電子カメラ。
【００２０】
（４）前記現像処理条件を判別する現像処理条件判別手段を備え、該現像処理判別手段による前記現像処理条件の判別結果に応じて、前記現像処理条件確認手段の制御を変更することを特徴とする前記（３）に記載の電子カメラ。
【００２１】
（５）前記現像処理判別手段を有効・無効にすることが可能なことを特徴とする前記（４）に記載の電子カメラ。
【発明の効果】
【００２２】
本発明においては、現像パラメータの設定変更を撮影後にも行える機能を有することで、使用者の不注意により意図しない現像パラメータ設定で撮影した場合でも、撮影後に現像パラメータの変更が可能となる。これにより撮り直しを行うという煩わしさを解消するだけでなく、一度しかないシャッターチャンスを逃すこと無く、使用者が満足する画像形式で記録することが可能である。また、不必要にＲＡＷ形式で撮り続ける必要がなくなるため、記録容量を圧迫することも無い。
【発明を実施するための最良の形態】
【００２３】
以下本発明を実施するための最良の形態を、実施例により詳しく説明する。
【実施例１】
【００２４】
以下、図面を参照して本発明の実施例１を説明する。
【００２５】
図１は、本発明の実施例の構成を示す図である。
【００２６】
図１において、１００は画像処理装置である。１２は撮像素子１４への露光量を制御するためのシャッター、１４は光学像を電気信号に変換する撮像素子である。レンズ３１０に入射した光線は、一眼レフ方式によって、絞り３１２、レンズマウント３０６及び１０６、ミラー１３０、シャッター１２を介して導き、光学像として撮像素子１４上に結像することが出来る。１６は撮像素子１４のアナログ信号出力をデジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２７】
２０は画像処理回路であり、Ａ／Ｄ変換器１６からのデータ或いはメモリ制御回路２２からのデータに対して所定の画素補間処理や色変換処理を行う。また、画像処理回路２０においては、必要に応じて、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュ調光）処理を行うことが出来る。さらに、画像処理回路２０においては、撮像した画像データを用いて所定の演算処理を行い、得られた演算結果に基づいてＴＴＬ方式のＡＷＢ（オートホワイトバランス）処理も行っている。
【００２８】
なお、本実施例においては、測距手段４２及び測光手段４６を専用に備える構成としたため、測距手段４２及び測光手段４６を用いてＡＦ（オートフォーカス）処理、ＡＥ（自動露出）処理、ＥＦ（フラッシュ調光）処理の各処理を行い、上記画像処理回路２０を用いたＡＦ（オートフォーカス）処理、ＡＥ（自動露出）処理、ＥＦ（フラッシュ調光）処理の各処理を行わない構成としても良い。或いは、測距手段４２及び測光手段４６を用いてＡＦ（オートフォーカス）処理、ＡＥ（自動露出）処理、ＥＦ（フラッシュ調光）処理の各処理を行い、さらに、上記画像処理回路２０を用いたＡＦ（オートフォーカス）処理、ＡＥ（自動露出）処理、ＥＦ（フラッシュ調光）処理の各処理を行う構成としても良い。
【００２９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。２４は画像表示メモリ、２６はＤ／Ａ変換器、２８はＴＦＴＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００３０】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３１】
４０は測光手段４６からの測光情報に基づいて、絞り３１２を制御する絞り制御手段３４０と連携しながら、シャッター１２を制御するシャッター制御手段である。４２はＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することが出来る。４４は温度計であり、撮影環境の温度を検出することができる。温度計がセンサー内にある場合はセンサーの暗電流をより正確に予想することが可能である。
【００３２】
４６はＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定することが出来る。また、測光手段４６は、フラッシュ４８と連携することによりＥＦ（フラッシュ調光）処理機能も有するものである。
【００３３】
４８はフラッシュであり、ＡＦ補助光の投光機能、フラッシュ調光機能も有する。なお、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオＴＴＬ方式を用いて露出制御及びＡＦ（オートフォーカス）制御をすることも可能である。さらに、測距手段４２による測定結果と、撮像素子１４によって撮像した画像データを画像処理回路２０によって演算した演算結果とを共に用いてＡＦ（オートフォーカス）制御を行っても構わない。そして、測光手段４６による測定結果と、撮像素子１４によって撮像した画像データを画像処理回路２０によって演算した演算結果とを共に用いて露出制御を行っても構わない。
【００３４】
５０は画像処理装置１００全体を制御するシステム制御回路、５２はシステム制御回路５０の動作用の定数、変数、プログラム等を記憶するメモリである。５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３５】
また、表示部５４は、その一部の機能が光学ファインダ１０４内に設置されている。表示部５４の表示内容のうち、ＬＣＤ等に表示するものとしては、例えば、シングルショット／連写撮影表示、セルフタイマー表示、圧縮率表示、ＩＳＯ感度表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付・時刻表示、外部コンピュータとの接続状態を示す表示、等がある。
【００３６】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００３７】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００３８】
そして、表示部５４の表示内容のうち、ランプ等に表示するものとしては、例えば、セルフタイマー通知ランプ、等がある。このセルフタイマー通知ランプは、ＡＦ補助光と共用して用いても良い。５６は電気的に消去・記録可能な不揮発性メモリであり、例えばＥＥＰＲＯＭ、ＦＬＡＳＨ  ＭＥＭＯＲＹ等が用いられる。この不揮発性メモリ５６には、各種パラメータやＩＳＯ感度などの設定値、設定モード、及び水平ダークシェーディング補正を行う際に用いる１次元補正データが格納される。この１次元補正データは、工程において調整時に作成され書き込まれる。６０、６２、６４、６６、６８、６９及び７０は、システム制御回路５０の各種の動作指示を入力するための操作手段であり、スイッチやダイアル、タッチパネル、視線検知によるポインティング、音声認識装置等の単数或いは複数の組み合わせで構成される。ここで、これらの操作手段の具体的な説明を行う。
【００３９】
６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード、ストロボ投光禁止モード等の各機能撮影モードを切り替え設定することが出来る。６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。
【００４０】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４１】
６６は再生スイッチで、撮影モード状態において、撮影した画像をメモリ３０或いは記録媒体２００或いは２１０から読み出して画像表示部２８によって表示する再生動作の開始を指示する。６８は単写／連写スイッチで、シャッタースイッチＳＷ２を押した場合に１駒の撮影を行って待機状態とする単写モードと、シャッタースイッチＳＷ２を押している間は連続して撮影を行い続ける連写モードとを設定することが出来る。６９はＩＳＯ感度設定スイッチで、撮像素子１４或いは画像処理回路２０におけるゲインの設定を変更することにより、ＩＳＯ感度を設定することができる。
【００４２】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することが出来るＡＦモード設定スイッチ等がある。また、上記プラスボタン及びマイナスボタンの各機能は、回転ダイヤルスイッチを備えることによって、より軽快に数値や機能を選択することが可能となる。
【００４３】
７２は電源スイッチで、画像処理装置１００の電源オン、電源オフの各モードを切り替え設定することが出来る。また、画像処理装置１００に接続されたレンズユニット３００、外部ストロボ、記録媒体２００、２１０等の各種付属装置の電源オン、電源オフの設定も合わせて切り替え設定することが出来る。８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００４４】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、ＰＣＭＣＩＡカードやＣＦ（コンパクトフラッシュ(登録商標)）カード等の規格に準拠したものを用いて構成して構わない。さらに、インタフェース９０及び９４、そしてコネクタ９２及び９６をＰＣＭＣＩＡカードやＣＦ（コンパクトフラッシュ(登録商標)）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。１０４は光学ファインダであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８による電子ファインダ機能を使用すること無しに、光学ファインダ１０４のみを用いて撮影を行うことが可能である。
【００４５】
また、光学ファインダ１０４内には、表示部５４の一部の機能、例えば、合焦表示、手振れ警告表示、フラッシュ充電表示、シャッタースピード表示、絞り値表示、露出補正表示などが設置されている。１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信手段１１０により画像処理装置１００を他の機器と接続するコネクタ或いは無線通信の場合はアンテナである。１１２を介して、ケーブルまたは無線通信によりダイレクトプリンタ４００と接続が可能である。
【００４６】
１２０は、レンズマウント１０６内において、画像処理装置１００をレンズユニット３００と接続するためのインタフェース、１２２は画像処理装置１００をレンズユニット３００と電気的に接続するコネクタ、１２４はレンズマウント１０６及び或いはコネクタ１２２にレンズユニット３００が装着されているか否かを検知するレンズ着脱検知手段である。コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００４７】
１３０、１３２はミラーで、レンズ３１０に入射した光線を、一眼レフ方式によって光学ファインダ１０４に導くことが出来る。なお、ミラー１３２は、クイックリターンミラーの構成としても、ハーフミラーの構成としても、どちらでも構わない。２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００４８】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。３００は交換レンズタイプのレンズユニットである。３０６は、レンズユニット３００を画像処理装置１００と機械的に結合するレンズマウントである。レンズマウント３０６内には、レンズユニット３００を画像処理装置１００と電気的に接続する各種機能が含まれている。３１０は撮影レンズ、３１２は絞りである。
【００４９】
３２０は、レンズマウント３０６内において、レンズユニット３００を画像処理装置１００と接続するためのインタフェース、３２２はレンズユニット３００を画像処理装置１００と電気的に接続するコネクタである。コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。３４０は測光手段４６からの測光情報に基づいて、シャッター１２を制御するシャッター制御手段４０と連携しながら、絞り３１２を制御する絞り制御手段である。３４２は撮影レンズ３１０のフォーカシングを制御する測距制御手段、３４４は撮影レンズ３１０のズーミングを制御するズーム制御手段である。
【００５０】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【００５１】
図２から図６を参照して、本発明の第１の実施例の動作を説明する。
【００５２】
本実施例では簡単のために、記録フォーマット、記録画像サイズ、記録画像品質、カラーモードを設定可能な現像パラメータとする。記録フォーマットは、“ＲＡＷ”又は“Ｊｐｅｇ”の選択が可能である。また、以下の３項目は、記録フォーマットが“ＪＰＥＧ”の場合のみ有効となる。記録画像サイズは、“Ｌａｒｇｅ”、“Ｍｉｄｄｌｅ”又は“Ｓｍａｌｌ”の選択が可能である。記録画像品質は、“Ｆｉｎｅ”又は“Ｎｏｒｍａｌ”の選択が可能である。カラーモードの設定は、“Ｃｏｌｏｒ”又は“Ｍｏｎｏ”の選択が可能である。上記４項目以外にも、例えば、ホワイトバランス、シャープネス、色の濃さ、色合い、コントラスト、色空間、デジタル露出補正等について設定可能としても構わない。
【００５３】
図２は本実施例に係る単写撮影時の動作を説明したフローチャートである。撮影前に予め現像パラメータが図３の様にそれぞれ設定されているとする（Ｓ２０２）。すなわち、記録フォーマットは“Ｊｐｅｇ”、記録画像サイズは“Ｍｉｄｄｌｅ”、記録画像品質は“Ｎｏｒｍａｌ”、カラーモードは“Ｃｏｌｏｒ”となる。
【００５４】
シャッタースイッチ６４が操作されると割り込み処理が発生し、システム制御回路５０は撮影可能状態で有るか確認をし、可能であるならば撮影を行うための制御を開始する（Ｓ２０４）。レンズ３１０を介して撮像素子１４上に結像された被写体像は、フォトダイオードの光電変換により電荷として蓄積される。蓄積された電荷はアンプにより増幅されアナログ電気信号となる。アナログ電気信号はＡ／Ｄ変換器１６により各画素１２ｂｉｔ解像度のデジタル信号に変換される。デジタル信号化された画像データは、画像処理回路２０により、シェーディング補正等の処理を施された後、メモリ３０上のＲＡＷバッファ領域に格納される（Ｓ２０６）。
【００５５】
上記メモリ３０上に格納されている画像データは、上記補正処理等が施されているが、撮像素子１４の各画素に蓄積された電荷エネルギーをそのままデジタルデータ化したものと考えることが出来る。以後、ＲＡＷバッファに格納された画像データをＲＡＷデータとよぶ。ＲＡＷバッファ領域は、ＲＡＷデータのみを格納するために確保されており、他の処理動作により使用されることのない領域である。画像処理回路２０はメモリ３０上のＲＡＷバッファ領域に格納されたＲＡＷデータを読み出し、図３の現像パラメータ設定に基づいて現像処理を行う（Ｓ２０８）。現像処理により、２つの画像データが生成される。１つは記録部２０２及び２１２に記録するための本画像データ、もう１つは画像表示部２８に撮影した画像を表示する際に使用されるサムネイル画像データである。現像されたそれぞれの画像データは再びメモリ３０上のＲＡＷバッファとは異なる領域に格納される（Ｓ２１０）。現像処理が完了すると、システム制御回路は、所定のフラグＡの状態を確認をする（Ｓ２１２）。フラグＡが無効になっている場合は、上記現像された本画像データをメモリ３０から読み出し、記録装置２０２及び２１２に記録し（Ｓ２２６）、カメラは撮影可能状態となる。
【００５６】
このとき、クイックレビューと呼ばれる、撮影後の画像確認機能が有効になっている場合には、前記メモリ３０上に格納されているサムネイル画像データを読み出し、画像表示メモリ２４に展開する。展開されたデータは、Ｄ／Ａ変換回路２６を介して画像表示部２８に表示される。フラグＡが有効になっている場合は、クイックレビュー機能の設定が有効・無効に関わらず、前記メモリ３０格納されているサムネイル画像データを読出し、画像表示部２８に表示する。サムネイル画像とあわせて、現在設定されている現像パラメータ、つまり図３に示す情報も表示する。これにより、使用者はどのような設定で撮影をしたのか把握することが可能である。
【００５７】
表示画面例を図４に示す。図４のように撮影前の現像パラメータ設定を変更するか否かの選択確認を促す表示も併せて表示し、ユーザーが操作部７０を操作して選択するまでカメラは入力待ち状態とする（Ｓ２１４）。このとき、操作部７０以外のスイッチ操作は無視される。これは、使用者が撮影前に設定されていた現像パラメータを確実に確認できるようにするためである。確認操作後にシステム制御回路５０はフラグＡを無効に設定する（Ｓ２１６）。これは、撮影の度に確認画面が表示されないようにするためである。現像パラメータを変更しない選択をした場合（確認画面上で“ＮＯ”を選択した場合）は（Ｓ２１８）、メモリ３０上に格納されている本画像データを記録部２０２及び２１２に記録し、カメラは撮影可能状態となる。現像パラメータを変更する選択をした場合（確認画面上で“ＹＥＳ”を選択した場合）は、図５に示すようなメニュー画面を画像表示部２８に表示する（Ｓ２２０）。画像表示部２８には現像パラメータの各設定項目を表示し、ユーザーが操作部７０を操作することで、設定を変更することが可能である（Ｓ２２２）。
【００５８】
本実施例では、記録画像サイズを“Ｍｉｄｄｌｅ”から“Ｌａｒｇｅ”へ、記録画像品質を“Ｎｏｒｍａｌ”から“Ｆｉｎｅ”へそれぞれ変更するものとする（Ｓ２２４）。ここで、もし、現像パラメータを変更しない選択をした場合（メニュー画面上で“ＣＡＮＣＥＬ”を選択した場合）は、メモリ３０上に格納されている本画像データを読出し、記録部２０２及び２１２に記録し、カメラは撮影可能状態となる。現像パラメータを変更する選択をした場合（メニュー画面上で“ＯＫ”を選択した場合）は、メモリ３０のＲＡＷバッファ上に格納されているＲＡＷデータを読出し、画像処理回路２０は、上記メニュー画面にて選択された現像パラメータ設定に基づいて現像処理を行う。現像処理により生成された本画像データを記録部２０２及び２１２記録すると共に、サムネイル画像を画像表示部２８に表示し、カメラは撮影可能状態となる。この時点で現像パラメータは、上記メニュー画面にて選択変更された設定になっており、以降の撮影は変更後のパラメータに基づいて行われる。
【００５９】
次に本実施例に係る連写撮影時の動作を説明したフローチャートを図６に示す。
【００６０】
単写撮影時と同じように予め現像パラメータは設定されているものとする（Ｓ５０２）。シャッタースイッチ６４が操作されて割り込み処理が発生すると、システム制御回路５０はカメラが撮影可能状態で有るか確認をし、可能ならば撮影動作を行う（Ｓ５０４）。ＲＡＷデータをメモリ３０上のＲＡＷバッファに格納した後（Ｓ５０６）、システム制御回路はＲＡＷバッファの空き容量を確認する（Ｓ５５２）。ＲＡＷバッファに空きがある場合は、シャッタースイッチ６４を操作したことによる割り込み処理が発生しているか確認する（Ｓ５５４）。割り込みが発生している場合、システム制御回路５０は次の撮影動作を行い、ＲＡＷデータをＲＡＷバッファに追加格納する。割り込み処理が発生していない場合は現像処理を行う。現像処理については後述する。また、Ｓ５５２にてＲＡＷバッファに空きが無い場合も現像処理に移行する。
【００６１】
Ｓ５０８に至るまでに、１ショットしか撮影をしていない場合、すなわちＲＡＷバッファにＲＡＷデータが１つしかない場合は、以降単写撮影時と同じシーケンスになるため説明を省略する。Ｓ５０８に至るまでに、数ショット撮影した場合、例えば５回撮影した場合にはＲＡＷデータが５つ格納されているが、本実施例では現像処理は最初の１ショット目のＲＡＷデータに対してのみ行う（Ｓ５０８）。残りの４ショット分はＲＡＷバッファに格納したままにしておく。これは、常に全ショット分を現像処理すると処理時間が掛かるためである。以降のシーケンスＳ５１０〜Ｓ５２４でも同様に、上記現像処理された１ショット目の画像データについて処理を行うため、単写撮影時と同じシーケンスとなる。単写撮影時との相違点は、最終的に現像パラメータが決定した後に、残りの４ショット分の現像処理を行うことである（Ｓ５５６）。現像されたそれぞれの本画像データを順次画像記録部２０２及び２１２に記録し（Ｓ５２６）、カメラは撮影可能状態となる。
【実施例２】
【００６２】
以下、図面を参照して本発明の第２の実施例を説明する。
【００６３】
図７は本発明にかかる第２の実施形態を説明したフローチャートである。
【００６４】
本発明を実現するための機器の構成や設定可能な現像パラメータは第１の実施例と同じであるため、第１の実施例との相違点についてのみ説明する。
【００６５】
本画像及びサムネイル画像をメモリ３０に格納した後（Ｓ７１０）、システム制御回路５０は撮影前に設定されていた現像パラメータの確認をする（Ｓ７５２）。特有の現像パラメータが設定されていない場合は、フラグＡが有効になっているかを確認する（Ｓ７１２）。特有の現像パラメータが設定されている場合、本実施例では、記録フォーマットが“ＲＡＷ”に設定されている場合、及び、記録フォーマットが“ＪＰＥＧ”、記録画像サイズが“Ｌａｒｇｅ”、記録画像品質が“Ｆｉｎｅ”、カラーモードが“Ｃｏｌｏｒ”に設定されている場合には確認画面を表示せず、メモリ３０に格納されている本画像データを画像記録部２０２及び２１２に記録し、カメラは撮影可能状態になる（Ｓ７２６）。
【実施例３】
【００６６】
以下、図面を参照して本発明の第３の実施例を説明する。
【００６７】
図８は本発明にかかる第３の実施形態を説明したフローチャートである。
【００６８】
本発明を実現するための機器の構成や設定可能な現像パラメータは第２の実施例と同じであるため、第２の実施例との相違点についてのみ説明する。
【００６９】
本画像及びサムネイル画像をメモリ３０に格納した後（Ｓ８１０）、システム制御回路５０は所定のフラグＢの状態を確認する（Ｓ８５４）。フラグＢが有効になっている場合は、システム制御回路５０は撮影前に設定されていた現像パラメータが、特有の設定になっているかを確認する（Ｓ８５２）。フラグＢが無効になっている場合は、常に確認画面を表示する（Ｓ８１４）。ここで、フラグＢはカスタムファンクションといわれるような、使用者が有効・無効に設定できるパラメータである。
【００７０】
上記実施の形態の説明においては、フラグＡを有効・無効に出来ると説明しているが、カメラの電源スイッチをオンした時や省電力モード（スリープモード）からの復帰時に、自動的にフラグＡが有効になる構成とすれば、本発明の有意性を考えるとより効果的である。
【００７１】
また、上記実施の形態の説明においては、現像パラメータの確認動作（Ｓ２２２、Ｓ５２２）後に画像ファイルを画像記録部２０２及び２１２に記録すると説明しているが、これの順序を逆にして、画像ファイルを記録後に現像パラメータの確認動作を行う構成としても問題ない。上記構成とした場合には、一旦画像記録後に現像パラメータが変更され、再び記録用画像ファイルが生成されるが、その際には、上書き保存または新規保存する構成が考えられる。
【００７２】
また、上記実施の形態の説明においては、画像表示部により確認画面を表示し、使用者への現像パラメータ確認通知手段とすると説明しているが、表示部５４を確認通知手段とする構成にしても問題ない。上記構成とした場合には、サムネイル画像の表示は行わない。
【図面の簡単な説明】
【００７３】
【図１】本発明を実現するための必要な機器類の構成図
【図２】本発明の第１の実施例を実現するための単写撮影時のフローチャート
【図３】本発明における現像パラメータ項目及び設定例を示す図
【図４】本発明を実現するための画面表示例１を示す図
【図５】本発明を実現するための画面表示例２を示す図
【図６】本発明の第１の実施例を実現するための連写撮影時のフローチャート
【図７】本発明の第２の実施例を実現するための単写撮影時のフローチャート
【図８】本発明の第３の実施例を実現するための単写撮影時のフローチャート
【符号の説明】
【００７４】
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  シャッター制御手段
４２  測距手段
４４  温度計
４６  測光手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  再生スイッチ
６８  単写／連写スイッチ
６９  ＩＳＯ感度スイッチ
７０  操作部
７２  電源スイッチ
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０４  光学ファインダ
１０６  レンズマウント
１１０  通信手段
１１２  コネクタ（またはアンテナ）
１２０  インタフェース
１２２  コネクタ
１３０  ミラー
１３２  ミラー
２００  記録媒体
２０２  記録部
２０４  インタフェース
２０６  コネクタ
２１０  記録媒体
２１２  記録部
２１４  インタフェース
２１６  コネクタ
３００  レンズユニット
３０６  レンズマウント
３１０  撮影レンズ
３１２  絞り
３２０  インタフェース
３２２  コネクタ
３４０  露光制御手段
３４２  測距制御手段
３４４  ズーム制御手段
３５０  レンズシステム制御回路
４００  ダイレクトプリンタ
【図１】
2006166051.tif 000003
【図２】
2006166051.tif 000004
【図３】
2006166051.tif 000005
【図４】
2006166051.tif 000006
【図５】
2006166051.tif 000007
【図６】
2006166051.tif 000008
【図７】
2006166051.tif 000009
【図８】
2006166051.tif 000010